【事件の表示】
　平成　５年特許願第　９５６９４号「光センサー、情報記録装置および情報記録方法」拒絶査定不服審判事件〔平成　６年１１月　４日出願公開、特開平　６−３０８７５８〕について、次のとおり審決する。
【結　論】
　本件審判の請求は、成り立たない。
【理　由】
１．手続の経緯・本願発明
　本願は、平成５年４月２２日に特許出願したものであって、その請求項に係る発明は、平成１４年７月２２日付手続補正書で補正された明細書及び図面の記載からみて、その特許請求の範囲の請求項１〜５に記載された事項により特定されるものであると認められるところ、請求項１に係る発明は次のものである。
「【請求項１】電極層上に液晶相および樹脂相からなる情報記録層を積層した情報記録媒体と電極上に光導電層を形成した光センサーとを、光センサーあるいは情報記録媒体の電極層の少なくともいずれか一方を透明電極として光軸上に電極層を互いに外側にして対向して間隙を形成して配置して、両電極層間に電圧を印加可能に結線した情報記録装置に使用する光センサーにおいて、光センサーの表面には樹脂層を被覆したことを特徴とする光センサー。」（以下、「本願発明」という。）
　
２．刊行物の記載事項
　原審の拒絶査定において周知の技術として引用した特開平５−１９２８８号公報（以下、「周知例１」という。また、周知例１に記載された発明を「周知発明」という。）には、下記の事項が記載されている。
　なお、上記周知例１は、原審の拒絶査定において挙げられた文献ではあるが、請求人は、請求理由において、該文献と本願発明の異同について検討しているばかりでなく、これに関し補正する機会（審判請求時の補正）をも有していたものである。
「【産業上の利用分野】本発明は、光導電層に入力された光学情報に応じて高分子液晶メモリ膜の透過率分布が変化することにより情報の記録が行われる情報記録媒体にかかり、特に、記録画像情報の高解像度化に対する改良に関する。
【０００２】【従来の技術】高分子液晶メモリ膜を利用した情報記録媒体としては、たとえば特願平２−１８６０５号として出願されたものがあり、図１に示すような構成となっている。同図において、透明基板１０，１２上に設けられた透明電極１４，１６間には、光導電層１８，隔離層２０，及び高分子液晶メモリ膜２２が各々積層して形成されている。これらのうち、光導電層１８は、電荷発生層１８Ａと電荷輸送層１８Ｂを積層した高感度の構成となっている。
・・・
【０００６】次に、隔離層２０は、体積抵抗率が１０１４Ωｃｍ以上のＳｉＯ２膜やＡｌ２Ｏ３膜などによって、スパッタ法や真空蒸着法などにより形成されている。また、後述する高分子マトリクスを構成するポリマを溶剤に溶解した塗布液を、コーティング法やディッピング法によって塗布，乾燥したものも用いられる。
【０００７】次に、高分子液晶メモリ膜２２は、たとえばスメクチック液晶をポリメチルメタクリレート（ＰＭＭＡ）による高分子マトリクス中に分散させて形成されている。高分子マトリクスとしては、他に、メタクリル樹脂・・・などのような体積抵抗率１０１４Ωｃｍ以上の無色透明な高分子材料が使用される。
【０００８】ここで、概略の製造手順を説明すると、透明基板１０，１２上には、たとえばスパッタ法により透明電極１４，１６が各々形成される。そして、透明電極１４上に電荷発生層１８Ａ，電荷輸送層１８Ｂが各々形成される。その後、隔離層２０がスパッタ法などで形成され、その上に高分子液晶メモリ膜２２が形成される。そして、この高分子液晶メモリ膜２２に、透明基板１２の透明電極１６側を接着剤を用いて接着し、情報記録媒体が得られる。
【０００９】次に、このような構成の情報記録媒体の作用を説明すると、外部からの画像情報を含む光は、電源２４による駆動電圧が印加された状態で情報記録媒体の光導電層１８に入射する。すると、電荷発生層１８Ａでは、入射光強度分布に対応して電荷が発生する。これらの電荷は、電荷輸送層１８Ｂによって高分子液晶メモリ膜２２側に輸送される。このため、高分子液晶メモリ膜２２には、輸送された電荷分布，すなわち入射光学像に対応する電界が形成されるようになり、液晶はこの電界分布に対応した配向分布となる。この液晶の配向状態は、光入射や電源２４による電界印加を停止してもそのまま保持される。
・・・
【００１２】その他・・・光導電層と高分子液晶メモリ膜を空隙を介して積層したものなどが特願平２−１９５１８０号として出願されている。
・・・
【００１７】【課題を解決するための手段】本発明は、入射した光学情報に対応する電荷像を生成する光導電層と、これによって生成された電荷像に対応して液晶の配向状態が変化する高分子液晶メモリ膜との間に、光導電層と高分子液晶メモリ膜との混合を防止するための隔離層が形成された情報記録媒体において、前記隔離層をゼラチンによって形成したことを特徴とする。主要な態様によれば、ゼラチンによる隔離層と光導電層との間に空隙が設けられることがある。
・・・
【００２０】【実施例】以下、本発明による情報記録媒体の一実施例について、添付図面を参照しながら説明する。なお、上述した従来例と同様または相当する構成部分については、同一の符号を用いる。本実施例にかかる情報記録媒体の構成は、図１に示す従来例と同様である。隔離層２０以外の各部の材料については、上述したものと同様である。本実施例では、隔離層２０がゼラチン層によって形成されている。
【００２１】具体的に説明すると、透明基板１０の透明電極１４上には、電荷発生層１８Ａ，電荷輸送層１８Ｂが各々積層形成される。他方、透明基板１２の透明電極１６上には、高分子液晶メモリ膜２２がたとえば厚さ９μｍ程度に形成される。次に、ゼラチンの・・・隔離層２０が形成される。この隔離層２０に、透明基板１０の光導電層１８を積層することによって、本実施例の情報記録媒体が得られる。
【００２２】なお、隔離層２０と光導電層１８との間に空隙を設けるようにしてもよい。図２には、この様子が示されており、光導電層１８の電荷輸送層１８Ｂと隔離層２０との間にスペーサ２６によって空隙２８が形成されている。」
　
３．対比
　本願発明と周知発明とを対比する。
（イ）周知例１の「透明電極１４，１６」，「スメクチック液晶」，「ポリメチルメタクリレート（ＰＭＭＡ）による高分子マトリクス」，「電荷発生層１８Ａ，電荷輸送層１８Ｂ」が、それぞれ本願発明の「電極層」，「液晶相」，「樹脂相」，「光導電層」に相当することは明らかである。
　また、上記の相当関係から、周知例１が「電極層上に液晶相および樹脂相からなる情報記録層」及び「電極上に光導電層を形成した光センサー」との事項を有することも明らかである。
（ロ）周知例１には、「【００２１】具体的に説明すると、
透明基板１０の透明電極１４上には、電荷発生層１８Ａ，電荷輸送層１８Ｂが各々積層形成
透明基板１２の透明電極１６上には、高分子液晶メモリ膜２２が
形成
次に、ゼラチンの・・・隔離層２０が形成
【００２２】なお、
隔離層２０と光導電層１８との間に空隙を設ける
光導電層１８の電荷輸送層１８Ｂと隔離層２０との間にスペーサ２６によって空隙２８が形成
　したがって、周知発明は、
「電極層上に液晶相および樹脂相からなる情報記録層を積層した情報記録媒体と電極上に光導電層を形成した光センサーとを、光センサーあるいは情報記録媒体の電極層の少なくともいずれか一方を透明電極として光軸上に電極層を互いに外側にして対向して間隙を形成して配置して、両電極層間に電圧を印加可能に結線した情報記録装置に使用する光センサーにおいて、光センサーの表面には
ゼラチン
その際、本願発明の「樹脂層」及び周知例１の「ゼラチン層」が共に「絶縁層」といえることは明らかであるから、本願発明と周知発明は、
「電極層上に液晶相および樹脂相からなる情報記録層を積層した情報記録媒体と電極上に光導電層を形成した光センサーとを、光センサーあるいは情報記録媒体の電極層の少なくともいずれか一方を透明電極として光軸上に電極層を互いに外側にして対向して間隙を形成して配置して、両電極層間に電圧を印加可能に結線した情報記録装置に使用する光センサーにおいて、光センサーの表面には
絶縁
　
相違点：
　絶縁層が、本願発明は、「樹脂」からなるのに対して、周知発明は、ゼラチンからなる点。
　
４．判断
　上記相違点について検討する。
　原審の拒絶理由に引用された特開昭５９−１２８５２１号公報（特に「５は・・・フェノキシ、シリコーン樹脂からなどで形成される絶縁層」（２頁右下欄下から４〜３行）との記載参照。また、第１図には、有機光導電体層６上に絶縁層５が形成されていることが見て取れる。）及び周知例１に記載された文献である特開平３−１５５５２５号公報（特に誘電体層ＩＬ参照。該層は樹脂により形成されることが記載（４頁左下欄６〜１２行）されている。）には、光導電体層上に樹脂層を形成することが記載されている。また、周知例１にも、従来技術として、「【００１４】（２）また、隔離層２０として、
ポリマ
　そして、周知発明のゼラチン層が絶縁層として機能していることは上述したとおりであるから、本願発明の技術的事項とすることは、上記樹脂層を周知発明に適用することにより当業者が容易になし得る程度のことである。
　
　しかも、本願発明によってもたらされる効果は、周知発明及び周知技術から当業者が予測し得る程度のものにすぎない。
　
５．むすび
　したがって、本願発明は、周知発明及び周知技術から当業者が容易に発明をすることができたものであるから、特許法第２９条第２項の規定により特許を受けることができない。
　よって、結論のとおり審決する。